(57)【要約】【課題】  専用の破壊装置を用いることなく、軽微な力でも極めて容易にかつ確実にハードディスクの変形や破損を行うことにより、記録情報の読出しを不可能とする。【解決手段】  ＨＤＤ廃棄時には、誤動作保護用シール４をはがして、加圧操作レバー２を矢印Ａの方向に支点を中心に回動させる。この回動によってレバー２の先端の加圧突起１がハードディスク３に接触して加圧を行い、ハードディスク３の変形や破損が生じ、記録情報の物理的な読出しが不可能となる。特別な破壊装置を用いることなく、軽微な力で、容易にかつ確実にハードディスクの破壊が可能となる。【選択図】      図２
2007280569.tif 000002
【特許請求の範囲】
【請求項１】
ハードディスクを物理的に変形または破損せしめて記録情報の破壊をなす破壊部材を内蔵してなることを特徴とするハードディスクドライブ。
【請求項２】
前記破壊部材は、人間により加えられた力を増幅して前記ハードディスクに印加する構造であることを特徴とする請求項１記載のハードディスクドライブ。
【請求項３】
前記破壊部材はテコであり、前記テコの力点での力を作用点で前記ハードディスクに印加することを特徴とする請求項２記載のハードディスクドライブ。
【請求項４】
前記テコの回動を抑止する誤動作保護用部材を有することを特徴とする請求項３記載のハードディスクドライブ。
【請求項５】
前記破壊部材はネジであり、前記ネジを回転させることにより、当該ネジの先端部をハードディスクに接触させるようにしたことを特徴とする請求項２記載のハードディスクドライブ。
【請求項６】
前記ネジは複数箇所に設けられていることを特徴とする請求項５記載のハードディスクドライブ。
【請求項７】
前記ネジの回転を抑止する保護部材を有することを特徴とする請求項５または６記載のハードディスクドライブ。
【発明の詳細な説明】
【技術分野】
【０００１】
本発明はハードディスクドライブに関し、特にハードディスクの記録情報を消去するための機構を有するハードディスクドライブ（ＨＤＤ）に関するものである。
【背景技術】
【０００２】
パーソナルコンピュータを廃棄する場合において、情報の漏洩を防止するために、情報記録用のハードディスク内の記録データを消去する必要があるが、そのためには、データ消去用のソフトウェアによる処理を行うか、パーソナルコンピュータを分解してハードディスクを取出して物理的に破壊することが行われる。
【０００３】
ソフトウェアによるデータ消去を行う場合には、以下のような問題がある。すなわち、一般的なＩＤＥ（Integrated Device Electronics ）ハードディスクでは、セキュリティロック機能が設けられているために、この機能によりロックされている場合、論理的にデバイスを認識することができないために、ソフトウェアによる上書き消去を行うためには、パスワードを入力してハードディスクをアンロック状態とする必要がある。
【０００４】
しかし、このパスワードを失念した場合には、上書きによる消去を行うことができず、論理的にはデータ消去は不可能となるという問題がある。従って、この場合にも、最終的には、ハードディスクを物理的に破壊する方法によらざるを得ないことになる。
【０００５】
ハードディスクを物理的に破壊するための装置としては、特許文献１や２にその例が開示されている。これら破壊装置においては、パーソナルコンピュータからＨＤＤを取出して、このＨＤＤを破壊装置内に装着して、外部から圧力を印加して、ＨＤＤと共にハードディスクを破壊するというものである。また、特許文献３を参照すると、ＨＤＤを分解することなく、外部よりボールペンなどの棒状物を差込んで、ハードディスクを破壊するための構造が開示されている。
【０００６】
【特許文献１】特開２００４−０７１０５７号公報
【特許文献２】特開２００４−１５８１７２号公報
【特許文献３】実用新案登録第３１０７３１５号公報
【発明の開示】
【発明が解決しようとする課題】
【０００７】
特許文献１や２の破壊装置を用いる方式では、ＨＤＤそのものを破壊して内部のハードディスクを破壊するものであるから、そのための装置そのものを別途準備する必要があり、一般の家庭に専用の破壊装置を常備することは極めて困難である。
【０００８】
特許文献３の構造では、外部からボールペンなど棒状物を差込んでハードディスクを破壊するようになっており、人間の力を、そのまま直接ハードディスクに加えるようになっているので、より大きな破壊力を生み出すことはできず、また破壊のための工具である棒状物はＨＤＤに備わっていないので、破壊時に別途準備する必要がある。
【０００９】
その他の方法として、磁気遮断材をハードディスク表面に塗布するディスク表面被覆方式や、磁気的消去機構を追加する方法などがあるが、いずれもハードディスク内の大きな構造変更が必要とされるという問題がある。
【００１０】
本発明の目的は、専用の破壊装置を用いることなく、軽微な力でも極めて容易にハードディスクの物理的破壊をなすことが可能なハードディスクドライブを提供することである。
【００１１】
本発明の他の目的は、大幅な構造変更をなすことなく極めて簡単にハードディスクの物理的破壊をなすことが可能なハードディスクドライブを提供することである。
【課題を解決するための手段】
【００１２】
本発明によるハードディスクドライブは、ハードディスクを物理的に変形または破損せしめて記録情報の破壊をなす破壊部材を内蔵してなることを特徴とする。そして、前記破壊部材は、人間により加えられた力を増幅して前記ハードディスクに印加する構造であることを特徴とする。
【００１３】
そして、前記破壊部材はテコであり、前記テコの力点での力を作用点で前記ハードディスクに印加することを特徴とし、前記破壊部材はネジであり、前記ネジを回転させることにより、当該ネジの先端部をハードディスクに接触させるようにしたことを特徴とする。
【００１４】
本発明の作用を述べる。ハードディスクを物理的に変形または破損せしめて記録情報の破壊をなすために、人間により加えられた力を増幅してハードディスクに印加する破壊部材、例えば、テコや、ネジを備えておき、通常時には、この破壊部材が誤動作しないように、誤動作保護部材を設け、廃棄時に、この誤動作保護部材を外して、人間の力でこの破壊部材を働かせて、この人間の力を増幅してハードディスクに作用させることにより、ハードディスクを物理的に変形または破損させる。これにより、特別の破壊装置を用いることなく、簡単にハードディスクの記録（残存）情報を消去可能となる。
【発明の効果】
【００１５】
本発明によれば、以下の如き効果が得られる。その第１の効果は、破壊機構をＨＤＤ内に備えるようにしたので、廃棄作業時に改めて破壊装置を別途準備する必要がないことである。また、第２の効果は、破壊のための力を人間が加えた力以上に増幅してハードディスクに加えることができるので、ユーザが簡単にハードディスクの破壊処理を行うことができる。
【００１６】
第３の効果は、一般的なハードディスクの物理的構造とは独立した構造としているので、現状のハードディスクに付加的に備えることができ、容易に実現できる。第４の効果は、物理的な破壊を行うものであるから、ハードディスクの論理的状態に影響されない。例えば、セキュリティロック機能設定時において、パスワードを失念すると、ソフトウェアによる消去は不可能であるが、物理的破壊であれば任意のときに破壊を行えるからである。
【発明を実施するための最良の形態】
【００１７】
以下に図面を用いて本発明の実施の形態について説明する。図１及び図２は本発明の一実施の形態を示すＨＤＤの断面図であり、図１は破壊前のものであり、図２は破壊時のものである。
【００１８】
先ず、図１を参照すると、ハードディスク３はＨＤＤのケース６内に収納されており、このケース６の上面には、破壊用の加圧操作レバー２が回転軸（支点）５を介して取付けられており、この操作レバー２の先端部（作用点）には、加圧突起１が、ハードディスク３に対して所定間隙をもって対向配置されるように取付けられている。そして、この操作レバー２の上面には、誤動作保護のためのシール４が貼付されており、操作レバー２とケース６とは、同一面を形成するようになっている。
【００１９】
ハードディスク３の破壊が必要になると、ユーザは誤動作保護用シール４をケース６から剥離させて、図２に示す如く、操作レバー２を矢印Ａの如く引起こすことにより（力点における加圧をなすことにより）、当該レバー２は支点５を中心として回動し、先端部の作用点である、加圧突起１がハードディスク３に当って変形を生じさせることにより、ハードディスクの破壊が可能となる。これにより、ハードディスクの記録情報の読出しは不可能となる。
【００２０】
本例では、操作レバー２を支点５により矢印Ａのように回動させることにより、テコの原理が働き、人間の力以上に、ハードディスクを加圧突起１が押圧する際の力が生じて、少ない力でもより効果的にハードディスクに力が加わって、容易にハードディスクの変形や破損が可能となるのである。すなわち、テコの原理で人間の力点での力を増幅して作用点に生じさせていることになる。
【００２１】
図３及び図４は本発明の他の実施の形態を示すＨＤＤの断面図であり、図３は破壊前のものであり、図４は破壊時のものである。なお、図３及び図４において、図１及び図２と同等部分は同一符号により示している。
【００２２】
先ず、図３を参照すると、ＨＤＤのケース６には、加圧操作用のネジ８が設けられており、このネジ８の先端部９が加圧突起となって、ハードディスク３に対して加圧をなすものであるが、破壊を行わない通常時には、図３に示す如く、この加圧突起９はハードディスク３と所定間隙をもって対向するようになっている。そのために、保護リング７がケース６とネジ８の頭部分との間に装着されているものとする。これにより、通常使用時には、保護リング７のために、加圧操作用ネジ８を意図せずにユーザが操作しても、何等動作しない。
【００２３】
ＨＤＤの廃棄時には、図４に示す如く、一旦加圧操作用ネジ８を緩めて保護リング７を取りはずし、再度加圧操作用ネジ８を締め付ける。この締め付けにより、ネジ８が矢印Ｂの方向へ移動して、ハードディスク３に加圧突起９が接触し、更なる締め付けにより、ハードディスク３を変形または破損させて、情報の読出しが物理的に不可能な状態になるのである。
【００２４】
本例では、ネジ構造となっているので、ドライバを用いることにより、人間の力以上に、ハードディスクを加圧突起９が押圧する際の力が生じて、少ない力でもより効果的にハードディスクに力が加わって容易にハードディスクの変形や破損が可能になる。本例においても、やはり人間の力を増幅して用いていることになる。
【００２５】
図５及び図６は本発明の更に他の実施の形態のＨＤＤの断面図であり、図５は破壊前のもの、図６は破壊時のものである。なお、図５，６において、図３，４と同等部分は同一符号により示している。
【００２６】
本例では、図３及び図４に示した実施の形態の加圧操作用ネジを複数個（８ａ〜８ｃ）設けて、より確実にハードディスクの記録情報の読出しを不可状態としたものである。
【００２７】
通常時には、加圧操作用ネジ８ａ〜８ｃは保護リング７ａ〜７ｃによってそれぞれ誤動作防止状態となっている。ＨＤＤの廃棄時には、一旦加圧操作用ネジ８ａ〜８ｃを緩めて保護リング７ａ〜７ｃを取り去り、再度加圧操作用ネジ８ａ〜８ｃを締めなおす。このネジ締めにより、加圧突起９ａ〜９ｃがハードディスク３に接触し、更なるネジ締めにより、ハードディスクが図６に示す如く、変形または破損され、物理的な情報の読出しが不可能となる。
【図面の簡単な説明】
【００２８】
【図１】本発明の一実施の形態の通常使用時におけるＨＤＤの断面図である。
【図２】本発明の一実施の形態の廃棄時におけるＨＤＤの断面図である。
【図３】本発明の他の実施の形態の通常使用時におけるＨＤＤの断面図である。
【図４】本発明の他の実施の形態の廃棄時におけるＨＤＤの断面図である。
【図５】本発明の更に他の実施の形態の通常使用時におけるＨＤＤの断面図である。
【図６】本発明の更に他の実施の形態の廃棄時におけるＨＤＤの断面図である。
【符号の説明】
【００２９】
１，９  加圧突起
２  操作レバー
３  ハードディスク
４  誤動作保護用シール
５  支点
６  ケース
７  保護リング
８  加圧操作用ネジ
【図１】
2007280569.tif 000003
【図２】
2007280569.tif 000004
【図３】
2007280569.tif 000005
【図４】
2007280569.tif 000006
【図５】
2007280569.tif 000007
【図６】
2007280569.tif 000008